(57)【要約】【課題】ユーザによる外部データの利用状況を正確に得ることが可能な端末装置、サーバ、並びに情報収集システム、方法、及びプログラムを提供する。【解決手段】情報収集システム１を構成する複数の端末装置１０＿１〜１０＿ｎの各々は、外部データＤＴにアクセスして表示すると共に、外部データＤＴの識別情報ＩＮＦ１と、外部データＤＴへのアクセス時刻情報ＩＮＦ２及び外部データＤＴの表示状態を示す状態情報ＩＮＦ３の少なくとも一方とを、サーバ２０に収集させる。サーバ２０は、各端末装置１０＿１〜１０＿ｎから収集した各情報ＩＮＦ１〜ＩＮＦ３を記憶する。【選択図】図１
2010134500.tif 000002
【特許請求の範囲】
【請求項１】
外部データにアクセスして表示するデータアクセス手段と、
前記アクセス手段から、前記外部データの識別情報と、前記外部データへのアクセス時刻情報及び前記外部データの表示状態を示す状態情報の少なくとも一方とを取得し、各情報をサーバ又は他の端末装置に収集させる情報取得手段と、
を備えた端末装置。
【請求項２】
請求項１において、
前記データアクセス手段が、前記外部データとしてウェブページにアクセスし、
前記情報取得手段が、前記識別情報として前記ウェブページのＵＲＬ(Ｕｎｉｆｏｒｍ Ｒｅｓｏｕｒｃｅ Ｌｏｃａｔｏｒ)を取得すると共に、前記状態情報として、ディスプレイ画面上における前記ウェブページの表示領域のサイズを取得することを特徴とした端末装置。
【請求項３】
請求項２において、
前記情報取得手段が、前記状態情報として、前記ディスプレイ画面の解像度をさらに取得することを特徴とした端末装置。
【請求項４】
請求項２又は３において、
前記情報取得手段が、前記状態情報として、前記ディスプレイ画面上における前記表示領域の形成位置をさらに取得することを特徴とした端末装置。
【請求項５】
請求項２〜４のいずれか一項において、
前記データアクセス手段が、前記表示領域に、前記ウェブページの一部をスクロール可能に表示し、
前記情報取得手段が、前記状態情報として、前記表示領域における前記ウェブページの表示範囲をさらに取得することを特徴とした端末装置。
【請求項６】
請求項１において、
前記データアクセス手段が、前記外部データとしてデータベース内のレコードにアクセスし、
前記情報取得手段が、前記識別情報として前記レコードのＩＤ(Ｉｄｅｎｔｉｆｉｅｒ)を取得することを特徴とした端末装置。
【請求項７】
請求項６において、
前記レコードが、複数のフィールドを含み、
前記データアクセス手段が、前記複数のフィールドの一部を、ユーザ選択に応じて強調表示し、
前記情報取得手段が、前記状態情報として、前記強調表示されたフィールドの位置情報を取得することを特徴とした端末装置。
【請求項８】
請求項１〜７のいずれか一項において、
前記情報取得手段が、各情報を、前記サーバ又は他の端末装置に対して送信することを特徴とした端末装置。
【請求項９】
請求項１〜７のいずれか一項において、
前記情報取得手段が、各情報を、前記サーバ又は他の端末装置から読出可能に記憶することを特徴とした端末装置。
【請求項１０】
外部データにアクセスする他の複数の端末装置各々から、前記外部データの識別情報と、前記外部データへのアクセス時刻情報及び前記外部データの表示状態を示す状態情報の少なくとも一方とを収集する情報収集手段と、
各情報を記憶する情報記憶手段と、
を備えた端末装置。
【請求項１１】
外部データにアクセスする複数の端末装置各々から、前記外部データの識別情報と、前記外部データへのアクセス時刻情報及び前記外部データの表示状態を示す状態情報の少なくとも一方とを収集する情報収集手段と、
各情報を記憶する情報記憶手段と、
を備えたサーバ。
【請求項１２】
請求項１１において、
前記情報記憶手段に記憶された各情報に基づき、各端末装置における前記外部データの利用状況を示す利用情報を生成する利用情報生成手段と、
前記利用情報を、各端末装置に提供する利用情報提供手段と、
をさらに備えたことを特徴とするサーバ。
【請求項１３】
請求項１２において、
前記外部データが、ウェブページであり、
前記識別情報が、前記ウェブページのＵＲＬであり、
前記状態情報が、前記端末装置が有するディスプレイ画面上における前記ウェブページの表示領域のサイズを含み、
前記利用情報生成手段が、前記利用情報として、前記ＵＲＬに対応して予め定めたポイントを付与すると共に、前記ポイントを前記サイズに応じて補正することを特徴としたサーバ。
【請求項１４】
請求項１３において、
前記状態情報が、前記ディスプレイ画面の解像度をさらに含み、
前記利用情報生成手段が、前記ポイントを前記解像度に応じてさらに補正することを特徴としたサーバ。
【請求項１５】
請求項１３又は１４において、
前記状態情報が、前記ディスプレイ画面上における前記表示領域の形成位置をさらに含み、
前記利用情報生成手段が、前記ポイントを前記形成位置に応じてさらに補正することを特徴としたサーバ。
【請求項１６】
請求項１３〜１５のいずれか一項において、
前記端末装置が、前記表示領域に、前記ウェブページの一部をスクロール可能に表示し、
前記状態情報が、前記表示領域における前記ウェブページの表示範囲をさらに含み、
前記利用情報生成手段が、前記ポイントを前記表示範囲に基づいてさらに補正することを特徴としたサーバ。
【請求項１７】
請求項１３〜１６のいずれか一項において、
前記利用情報生成手段が、前記ポイントの付与及び補正を前記ＵＲＬ毎に行うと共に、各ポイントの合計値を算出することを特徴としたサーバ。
【請求項１８】
請求項１３〜１７のいずれか一項において、
前記利用情報生成手段は、同一のＵＲＬが複数回に亘って収集された場合、最初に収集されたＵＲＬを前記ポイントの付与対象とし、当該ＵＲＬに対応するアクセス時刻情報が示す時刻から一定時間内の時刻を示すアクセス時刻情報に対応するＵＲＬを、前記ポイントの付与対象外とすることを特徴とするサーバ。
【請求項１９】
請求項１３〜１８のいずれか一項において、
前記利用情報生成手段は、互いに異なる複数のＵＲＬが収集され、且つ各ＵＲＬに対応するアクセス時刻情報が示す時刻の時間間隔が予め定めた時間間隔より短い場合、前記複数のＵＲＬを、前記ポイントの付与対象外とすることを特徴とするサーバ。
【請求項２０】
請求項１１において、
前記情報記憶手段に記憶された各情報に基づき、少なくとも一部の端末装置同士間で共通の前記外部データの利用状況を示す利用情報を生成する利用情報生成手段と、
前記利用情報を、各端末装置に提供する利用情報提供手段と、
をさらに備えたことを特徴とするサーバ。
【請求項２１】
請求項２０において、
前記外部データが、データベース内のレコードであり、
前記識別情報が、前記レコードのＩＤであり、
前記利用情報生成手段が、前記利用情報として、予め定めた数以上の端末装置同士間で共通に利用されているレコードのＩＤを設定することを特徴としたサーバ。
【請求項２２】
請求項２１において、
前記レコードが、複数のフィールドを含み、
前記端末装置が、前記複数のフィールドの一部をユーザ選択に応じて強調表示し、
前記状態情報が、前記強調表示されたフィールドの位置情報を含み、
前記利用情報生成手段が、前記利用情報に、前記位置情報をさらに設定することを特徴としたサーバ。
【請求項２３】
請求項２１又は２２において、
前記利用情報生成手段は、前記共通に利用されているレコードのＩＤに対応するアクセス時刻情報が示す時刻と、当該レコードの次に利用されたレコードのＩＤに対応するアクセス時刻情報が示す時刻との時間間隔が予め定めた時間間隔より短い場合、前記共通に利用されているレコードのＩＤを前記利用情報への設定対象外とすることを特徴とするサーバ。
【請求項２４】
請求項１２〜２３のいずれか一項において、
前記利用情報提供手段が、前記利用情報を、各端末装置からの要求に応じて通知することを特徴としたサーバ。
【請求項２５】
請求項１２〜２３のいずれか一項において、
前記利用情報提供手段が、前記利用情報を、各端末装置内の記憶手段に書き込むことを特徴としたサーバ。
【請求項２６】
請求項１１〜２５のいずれか一項において、
前記情報取得手段が、前記識別情報と、前記アクセス時刻情報及び前記状態情報の少なくとも一方とを、各端末装置から受信することを特徴とした端末装置。
【請求項２７】
請求項１１〜２５のいずれか一項において、
前記情報取得手段が、前記識別情報と、前記アクセス時刻情報及び前記状態情報の少なくとも一方とを、各端末装置内の記憶手段から読み出すことを特徴とした端末装置。
【請求項２８】
請求項１１において、
前記情報記憶手段に記憶された各情報を他のサーバに提供し、前記他のサーバに、各情報に基づく各端末装置における前記外部データの利用状況を示す利用情報の生成、及び前記利用情報の各端末装置への提供を行わせることを特徴としたサーバ。
【請求項２９】
請求項１１において、
前記情報記憶手段に記憶された各情報を他のサーバに提供し、前記他のサーバに、各情報に基づく少なくとも一部の端末装置において共通の前記外部データの利用状況を示す利用情報の生成、及び前記利用情報の各端末装置への提供を行わせることを特徴としたサーバ。
【請求項３０】
複数の端末装置と、サーバとを備え、
各端末装置が、外部データにアクセスして表示すると共に、前記外部データの識別情報と、前記外部データへのアクセス時刻情報及び前記外部データの表示状態を示す状態情報の少なくとも一方とを前記サーバに収集させ、
前記サーバが、各端末装置から収集した各情報を記憶する、
情報収集システム。
【請求項３１】
端末装置における情報収集方法であって、
外部データにアクセスして表示し、
前記外部データの識別情報と、前記外部データへのアクセス時刻情報及び前記外部データの表示状態を示す状態情報の少なくとも一方とを、サーバ又は他の端末装置に収集させる、
情報収集方法。
【請求項３２】
請求項３１において、
各情報を、前記サーバ又は他の端末装置に対して送信することを特徴とした情報収集方法。
【請求項３３】
請求項３１において、
各情報を、前記サーバ又は他の端末装置から読出可能に記憶することを特徴とした情報収集方法。
【請求項３４】
外部データにアクセスする複数の端末装置各々から、前記外部データの識別情報と、前記外部データへのアクセス時刻情報及び前記外部データの表示状態を示す状態情報の少なくとも一方とを収集し、
各情報を記憶する、
情報収集方法。
【請求項３５】
請求項３４において、
前記記憶した各情報に基づき、各端末装置における前記外部データの利用状況を示す利用情報を生成し、
前記利用情報を、各端末装置に提供する、
ことを特徴とする情報収集方法。
【請求項３６】
請求項３４において、
前記記憶した各情報に基づき、少なくとも一部の端末装置同士間で共通の前記外部データの利用状況を示す利用情報を生成し、
前記利用情報を、各端末装置に提供する、
ことを特徴とする情報収集方法。
【請求項３７】
請求項３４において、
各情報を、各端末装置から受信することを特徴とした情報収集方法。
【請求項３８】
請求項３４において、
各情報を、各端末装置内の記憶手段から読み出すことを特徴とした情報収集方法。
【請求項３９】
端末装置に、
外部データにアクセスして表示する処理と、
前記外部データの識別情報と、前記外部データへのアクセス時刻情報及び前記外部データの表示状態を示す状態情報の少なくとも一方とを、サーバ又は他の端末装置に収集させる処理と、
を実行させるための情報収集プログラム。
【請求項４０】
サーバに、
外部データにアクセスする複数の端末装置各々から、前記外部データの識別情報と、前記外部データへのアクセス時刻情報及び前記外部データの表示状態を示す状態情報の少なくとも一方とを収集する処理と、
各情報を記憶する処理と、
を実行させるための情報収集プログラム。
【発明の詳細な説明】
【技術分野】
【０００１】
本発明は、端末装置、サーバ、並びに情報収集システム、方法、及びプログラムに関し、特に外部データへのアクセスに関する情報を収集する技術に関する。
【背景技術】
【０００２】
上記のような情報収集システムの関連技術として、特許文献１には、サーバが、端末装置によるウェブページへのアクセス履歴を収集し、当該端末装置を使用するユーザに対して、当該アクセス履歴に応じたポイントを付与するポイント管理システムが記載されている。
【０００３】
なお、参考技術として、特許文献２には、一の端末装置により選択されたウェブページ内の注目情報を、他の端末装置に強調表示させるサーバが記載されている。また、特許文献３には、表示中のウェブページ内の情報要素に対するユーザ関心度を分析する方法が記載されている。
【特許文献１】特開平１０−２５４９６８号公報
【特許文献２】特開２００８−３９７３号公報
【特許文献３】特開２００８−１９８１７１号公報
【発明の開示】
【発明が解決しようとする課題】
【０００４】
しかしながら、上記の特許文献１には、外部データがユーザにより適切に利用されているか否かを判断できないという課題があった。より具体的には、上記の特許文献１に記載されるサーバでは、ウェブページへのアクセス履歴(すなわち、外部データへのアクセスが生じたこと)のみを収集するため、ユーザが有用な情報を得ることを目的としてアクセスを行う場合と、単にポイントの獲得のみを目的としてアクセスを行う場合とを何ら区別できない。
【０００５】
従って、本発明は、ユーザによる外部データの利用状況を正確に得ることが可能な端末装置、サーバ、並びに情報収集システム、方法、及びプログラムを提供することを目的とする。
【課題を解決するための手段】
【０００６】
上記の目的を達成するため、本発明の一態様に係る端末装置は、外部データにアクセスして表示するデータアクセス手段と、前記アクセス手段から、前記外部データの識別情報と、前記外部データへのアクセス時刻情報及び前記外部データの表示状態を示す状態情報の少なくとも一方とを取得し、各情報をサーバ又は他の端末装置に収集させる情報取得手段とを備える。
【０００７】
また、本発明の他の一態様に係る端末装置は、外部データにアクセスする他の複数の端末装置各々から、前記外部データの識別情報と、前記外部データへのアクセス時刻情報及び前記外部データの表示状態を示す状態情報の少なくとも一方とを収集する情報収集手段と、各情報を記憶する情報記憶手段とを備える。
【０００８】
また、本発明の一態様に係るサーバは、外部データにアクセスする複数の端末装置各々から、前記外部データの識別情報と、前記外部データへのアクセス時刻情報及び前記外部データの表示状態を示す状態情報の少なくとも一方とを収集する情報収集手段と、各情報を記憶する情報記憶手段とを備える。
【０００９】
また、本発明の一態様に係る情報収集システムは、複数の端末装置と、サーバとを備える。各端末装置は、外部データにアクセスして表示すると共に、前記外部データの識別情報と、前記外部データへのアクセス時刻情報及び前記外部データの表示状態を示す状態情報の少なくとも一方とを前記サーバに収集させる。前記サーバは、各端末装置から収集した各情報を記憶する。
【００１０】
また、本発明の一態様に係る情報収集方法は、端末装置における情報収集方法を提供する。この情報収集方法は、外部データにアクセスして表示し、前記外部データの識別情報と、前記外部データへのアクセス時刻情報及び前記外部データの表示状態を示す状態情報の少なくとも一方とを、サーバ又は他の端末装置に収集させる。
【００１１】
また、本発明の他の一態様に係る情報収集方法は、外部データにアクセスする複数の端末装置各々から、前記外部データの識別情報と、前記外部データへのアクセス時刻情報及び前記外部データの表示状態を示す状態情報の少なくとも一方とを収集し、各情報を記憶する。
【００１２】
また、本発明の一態様に係る情報収集プログラムは、端末装置に、外部データにアクセスして表示する処理と、前記外部データの識別情報と、前記外部データへのアクセス時刻情報及び前記外部データの表示状態を示す状態情報の少なくとも一方とを、サーバ又は他の端末装置に収集させる処理とを実行させる。
【００１３】
さらに、本発明の他の一態様に係る情報収集プログラムは、サーバに、外部データにアクセスする複数の端末装置各々から、前記外部データの識別情報と、前記外部データへのアクセス時刻情報及び前記外部データの表示状態を示す状態情報の少なくとも一方とを収集する処理と、各情報を記憶する処理とを実行させる。
【発明の効果】
【００１４】
本発明では、外部データの識別情報に加えて、当該外部データへのアクセス時刻及び当該外部データの端末装置における表示状態の少なくとも一方が収集される。このため、ユーザによる外部データの利用状況を正確に得ることができ、以て当該利用状況をマーケティング分析等に役立てることが可能である。
【発明を実施するための最良の形態】
【００１５】
以下、本発明に係る端末装置及びサーバ、並びにこれらを適用する情報収集システムの実施の形態１及び２を、図１〜図１３を参照して説明する。なお、各図面において、同一要素には同一の符号が付されており、説明の明確化のため、必要に応じて重複説明は省略される。
【００１６】
[各実施の形態に共通の構成例]
図１に、実施の形態１及び２に共通の情報収集システム１の構成例を示す。この情報収集システム１は、互いに異なるユーザ(図示せず)により使用されるｎ台の端末装置１０＿１〜１０＿ｎ(以下、符号１０で総称することがある)と、サーバ２０とで構成される。
【００１７】
また、端末装置１０＿１〜１０＿ｎは、ぞれぞれ、外部データＤＴにアクセスして表示するデータアクセス手段１１＿１〜１１＿ｎ(以下、符号１１で総称することがある)と、これらのデータアクセス手段１１＿１〜１１＿ｎから、外部データＤＴの識別情報ＩＮＦ１と、外部データＤＴへのアクセス時刻情報ＩＮＦ２及び外部データＤＴの表示状態を示す状態情報ＩＮＦ３の少なくとも一方とを取得する情報取得手段１２＿１〜１２＿ｎ(以下、符号１２で総称することがある)とを備えている。
【００１８】
一方、サーバ２０は、各端末装置１０＿１〜１０＿ｎから、識別情報ＩＮＦ１と、アクセス時刻情報ＩＮＦ２及び状態情報ＩＮＦ３の少なくとも一方とを収集する情報収集手段２１と、各情報ＩＮＦ１〜ＩＮＦ３を記憶する情報記憶手段２２とを備えている。
【００１９】
ここで、アクセス時刻情報ＩＮＦ２により、後述する如く、ユーザが有用な情報を得るために行う外部データに対するアクセスと、同一の外部データに対する意図的な再アクセス、又は互いに異なる外部データに対する機械的な連続アクセスとを区別することができる。また、状態情報ＩＮＦ３により、後述する如く、ユーザが関心を持って外部データを表示している状態と、それ以外の状態とを区別することができる。従って、アクセス時刻情報ＩＮＦ２及び状態情報ＩＮＦ３の少なくとも一方を収集することにより、ユーザによる外部データＤＴの利用状況を正確に得ることができる。
【００２０】
なお、情報取得手段１２は、各情報ＩＮＦ１〜ＩＮＦ３を、サーバ２０に対して送信しても良いし、端末装置１０の内部に設けた記憶手段(図示せず)にサーバ２０から読出可能に記憶しても良い。前者の場合、情報収集手段２１は、各情報ＩＮＦ１〜ＩＮＦ３を、端末装置１０から受信する。後者の場合、情報収集手段２１は、各情報ＩＮＦ１〜ＩＮＦ３を、端末装置１０内部の記憶手段から読み出す。
【００２１】
以下、下記の実施の形態１及び２において、外部データＤＴ及び各情報ＩＮＦ１〜ＩＮＦ３の具体例、並びに各情報ＩＮＦ１〜ＩＮＦ３の利用例を詳細に説明する。
【００２２】
[実施の形態１]
図２に示す本実施の形態に係る情報収集システム１ａにおいては、端末装置１０＿１〜１０＿ｎとサーバ２０とが、インターネットやＬＡＮ(Ｌｏｃａｌ Ａｒｅａ Ｎｅｔｗｏｒｋ)等のネットワークＮＷを介して相互接続されている。
【００２３】
また、端末装置１０＿１〜１０＿ｎは、それぞれ、図１に示したデータアクセス手段１１＿１〜１１＿ｎとして、ネットワークＮＷを介してウェブページＷＰにアクセスし、ディスプレイ画面(図示せず)上に表示するウェブブラウザ１１ａ＿１〜１１ａ＿ｎ(以下、符号１１ａで総称することがある)を有する。この場合、情報取得手段１２は、ウェブブラウザ１１ａのプラグインとすることができる。
【００２４】
情報取得手段１２は、ウェブブラウザ１１ａから、ウェブページＷＰのＵＲＬを識別情報ＩＮＦ１として取得し、ウェブページＷＰのアクセス時刻をアクセス時刻情報ＩＮＦ２として取得する。また、情報取得手段１２は、状態情報ＩＮＦ３として、ディスプレイ画面上におけるウェブページＷＰの表示領域のサイズ(すなわち、ウェブブラウザ１１ａのウィンドウサイズ)ＩＥ１と、ディスプレイ画面の解像度ＩＥ２と、ディスプレイ画面上における表示領域の形成位置(すなわち、ウェブブラウザ１１ａのウィンドウ表示位置)ＩＥ３とを取得する。但し、情報取得手段１２は、ウィンドウサイズＩＥ１、画面解像度ＩＥ２、及びウィンドウ表示位置ＩＥ３の全てを取得する必要は無く、少なくともウィンドウサイズＩＥ１を取得すれば良い。また、ウィンドウサイズＩＥ１、画面解像度ＩＥ２、及びウィンドウ表示位置ＩＥ３の取得優先度は、当該優先度の高い方から順にＩＥ１、ＩＥ２、ＩＥ３である。
【００２５】
なお、ウェブブラウザ１１ａは、ウェブページＷＰ中の全情報をウィンドウに表示しきれない場合、ウィンドウに、ウェブページＷＰ中の一部の情報をスクロール可能に表示する。この場合、情報取得手段１２は、状態情報ＩＮＦ３として、ウェブブラウザ１１ａからウィンドウにおけるウェブページＷＰの表示範囲をさらに取得する。
【００２６】
また、図示の例では、情報取得手段１２が、各情報ＩＮＦ１〜ＩＮＦ３を、ネットワークＮＷを介してサーバ２０に対して送信する場合を扱っている。
【００２７】
一方、サーバ２０は、図１に示した情報収集手段２１及び情報記憶手段２２に加えて、利用情報生成手段２３と、利用情報提供手段２４と、ポイント表記憶手段２５と、ポイント記憶手段２６とを備えている。
【００２８】
利用情報生成手段２３は、情報記憶手段２１に記憶された各情報ＩＮＦ１〜ＩＮＦ３に基づき、各端末装置１０＿１〜１０＿ｎにおけるウェブページＷＰの閲覧状況を示す情報としてポイントを算出する。より具体的には、まず、利用情報生成手段２３は、各端末装置１０＿１〜１０＿ｎに対して、ポイント表記憶手段２５に予め記憶されたＵＲＬ毎のポイント内、識別情報ＩＮＦ１が示すＵＲＬに対応するポイント(以下、対応ポイントと呼称する)ＰＴＮ１を付与する。そして、利用情報生成手段２３は、対応ポイントＰＴＮ１を、状態情報ＩＮＦ３が示すウィンドウサイズＩＥ１、画面解像度ＩＥ２、及びウィンドウ表示位置ＩＥ３に応じて補正すると共に、補正後のポイントＰＴＮ２を、ポイント記憶手段２６に記憶する。
【００２９】
なお、状態情報ＩＮＦ３に、ウェブブラウザ１１ａのウィンドウにおけるウェブページＷＰの表示範囲が含まれる場合、利用情報生成手段２３は、当該表示範囲をさらに考慮して対応ポイントＰＴＮ１の補正を行う。
【００３０】
また、利用情報生成手段２３は、識別情報ＩＮＦ１に複数のＵＲＬが含まれる場合、各ＵＲＬについてポイントの付与及び補正を行うと共に、各ポイントの合計値を算出する。さらに、利用情報生成手段２３は、アクセス時刻情報ＩＮＦ２に含まれる各ＵＲＬに対応するアクセス時刻に基づき、各ＵＲＬをポイントの付与対象とするか否かを決定する。
【００３１】
一方、利用情報提供手段２４は、ポイント記憶手段２６から補正後ポイントＰＴＮ２を読み出し、各端末装置１０＿１〜１０＿ｎに提供する。図示の例では、利用情報提供手段２４が、補正後ポイントＰＴＮ２を、各端末装置１０＿１〜１０＿ｎからの要求(図示せず)に応じて通知する場合を扱っている。
【００３２】
動作においては、図３に示すように、まず、端末装置１０内のウェブブラウザ１１ａが、ネットワークＮＷを介してウェブページＷＰにアクセスし、ディスプレイ画面上に表示する(ステップＳ１１)。
【００３３】
そして、情報取得手段１２は、ウェブブラウザ１１ａから、ウェブページＷＰのＵＲＬ及びアクセス時刻、並びにウィンドウサイズＩＥ１、画面解像度ＩＥ２、及びウィンドウ表示位置ＩＥ３を取得する(ステップＳ１２)。
【００３４】
そして、情報取得手段１２は、取得したＵＲＬ、アクセス時刻、並びにウィンドウサイズＩＥ１、画面解像度ＩＥ２、及びウィンドウ表示位置ＩＥ３を、それぞれ情報ＩＮＦ１〜ＩＮＦ３に設定し、ネットワークＮＷを介してサーバ２０に対して送信する(ステップＳ１３)。
【００３５】
一方、図４に示すように、サーバ２０内の情報収集手段２１が、各情報ＩＮＦ１〜ＩＮＦ３を受信し(ステップＳ２１)、情報記憶手段２２に記憶する(ステップＳ２２)。
【００３６】
そして、利用情報生成手段２３は、情報記憶手段２２から、各情報ＩＮＦ１〜ＩＮＦ３を読み出す(ステップＳ２３)と共に、ポイント表記憶手段２５に記憶されるポイント表ＴＢＬを参照して、端末装置１０に対して対応ポイントＰＴＮ１を付与する(ステップＳ２４)。
【００３７】
より具体的には、識別情報ＩＮＦ１に、図５(ａ)に示すＵＲＬ１〜ＵＲＬ８が含まれ、且つポイント表記憶手段２５に、図６に示すポイント表ＴＢＬが記憶されている場合を例に取ると、まず利用情報生成手段２３は、ＵＲＬ１＝"ｈｔｔｐ：／／ｗｗｗ．ａａａ.ｃｏｍ／ｉｎｄｅｘ.ｈｔｍｌ"をポイント表ＴＢＬ中から検索する。ＵＲＬ１がポイント表ＴＢＬの行Ｌ１(ドメイン名：ｈｔｔｐ：／／ｗｗｗ．ａａａ.ｃｏｍ)に合致するため、利用情報生成手段２３は、ＵＲＬ１の対応ポイントＰＴＮ１１として"１．０"を付与する。
【００３８】
次いで、利用情報生成手段２３は、ＵＲＬ２＝"ｈｔｔｐ：／／ｗｗｗ．ｐｐｐ.ｃｏｍ／ｉｎｄｅｘ.ｈｔｍｌ"をポイント表ＴＢＬ中から検索する。ＵＲＬ２がポイント表ＴＢＬの行Ｌ１〜Ｌ４に合致しないため、利用情報生成手段２３は、ＵＲＬ２の対応ポイントＰＴＮ１２として、ポイント表ＴＢＬの行Ｌ５(他のＵＲＬ)に対応するポイント"０．１"を付与する。
【００３９】
次いで、利用情報生成手段２３は、ＵＲＬ３＝"ｈｔｔｐ：／／ｗｗｗ．ｂｂｂ.ｃｏｍ／ｕｓｅｒ／１.ｈｔｍｌ"の対応ポイントＰＴＮ１３として、ポイント表ＴＢＬの行Ｌ２(ドメイン名：ｈｔｔｐ：／／ｗｗｗ．ｂｂｂ.ｃｏｍ)に対応するポイント"１．０"を付与する。
【００４０】
次いで、利用情報生成手段２３は、ＵＲＬ４及びＵＲＬ５がＵＲＬ３と同一であることを検出する。この時、利用情報生成手段２３は、図５(ｂ)に示すＵＲＬ３〜ＵＲＬ５に対応するアクセス時刻情報ＩＮＦ２３〜ＩＮＦ２５を参照し、ＵＲＬ４及びＵＲＬ５をポイント付与の対象とすべきか否かを判定する。今、アクセス時刻情報ＩＮＦ２３〜ＩＮＦ２５が同一の日時"１２／１"を示しているため、利用情報生成手段２３は、ユーザが同一のＵＲＬに対して意図的な再アクセスを行ったと判断して、ＵＲＬ４及びＵＲＬ５をポイント付与の対象外とする(対応ポイントＰＴＮ１４及びＰＴＮ１５を"０"とする)。
【００４１】
同様にして、利用情報生成手段２３は、ＵＲＬ６〜ＵＲＬ８の対応ポイントＰＴＮ１６〜ＰＴＮ１８として、それぞれ、ポイント表ＴＢＬの行Ｌ５、Ｌ４、及びＬ３に対応するポイント"０．１"、"２０．０"、及び"１０．０"を付与する。
【００４２】
最後に、利用情報生成手段２３は、対応ポイントＰＴＮ１として、対応ポイントＰＴＮ１１〜ＰＴＮ１８の合計値"３２．２"を付与する。
【００４３】
なお、図示を省略するが、ＵＲＬ１〜ＵＲＬ８が互いに異なり、且つ各ＵＲＬに対応するアクセス時刻情報が示す時刻の時間間隔が予め定めた時間間隔よりも短い場合には、利用情報生成手段２３は、ユーザがＵＲＬ１〜ＵＲＬ８に対する機械的な連続アクセスを行ったと判断して、ＵＲＬ１〜ＵＲＬ８全てをポイント付与の対象外とする。
【００４４】
図４に戻って、利用情報生成手段２３は、状態情報ＩＮＦ３に基づき対応ポイントＰＴＮ１を補正する(ステップＳ２５)。
【００４５】
より具体的には、まず利用情報生成手段２３は、状態情報ＩＮＦ３に含まれるウィンドウサイズＩＥ１が基準ウィンドウサイズ以上であるか否かを判定する。
【００４６】
今、図７(ａ)に示す如く、図５(ａ)に示したＵＲＬ１に対応するウィンドウサイズＩＥ１１≧基準ウィンドウサイズＲＳが成立したとすると、利用情報生成手段２３は、ＵＲＬ１に対するユーザの関心度が高いと判断し、対応ポイントＰＴＮ１１を例えば"０．１"だけ加算して補正後ポイントＰＴＮ２１＝"１．１"を求める。一方、ウィンドウサイズＩＥ１１＜基準ウィンドウサイズＲＳが成立した場合、利用情報生成手段２３は、ＵＲＬ１に対するユーザの関心度が低いと判断し、対応ポイントＰＴＮ１１を"０．１"だけ減算して補正後ポイントＰＴＮ２１＝"０．９"を求める。
【００４７】
ここで、利用情報生成手段２３は、基準ウィンドウサイズＲＳを、状態情報ＩＮＦ３に含まれる画面解像度ＩＥ２１に応じて動的に変更する。これにより、利用情報生成手段２３は、端末装置同士間での画面解像度の差異に依存せず、ディプレイ画面に占めるウィンドウサイズの割合に応じてユーザの関心度を一意的に判断することができる。
【００４８】
そして、利用情報生成手段２３は、図７(ｂ)に示すように、状態情報ＩＮＦ３に含まれるウィンドウ表示位置ＩＥ３１がディスプレイ画面上の基準領域(例えば、中央付近の領域)ＲＡに属するか否かを判定する。利用情報生成手段２３は、ウィンドウ表示位置ＩＥ３１が基準領域ＲＡに属する場合に、補正後ポイントＰＴＮ２１に対して加算補正(例えば、"０．１"加算)を施し、ウィンドウ表示位置ＩＥ３１が基準領域ＲＡに属さない場合には、補正後ポイントＰＴＮ２１に対して減算補正("０．１"減算)を施す。これにより、補正後ポイントＰＴＮ２１には、ＵＲＬ１に対するユーザ関心度の高低に応じた差分がより顕著に表れることとなる。
【００４９】
なお、状態情報ＩＮＦ３に、ウェブブラウザ１１ａのウィンドウにおけるウェブページＷＰの表示範囲が含まれる場合、利用情報生成手段２３は、表示範囲に基づき補正後ポイントＰＴＮ２をさらに補正する。例えば、表示範囲の切替が頻繁に発生している場合、利用情報生成手段２３は、ユーザがウェブページＷＰを流し読みしていると判断して、補正後ポイントＰＴＮ２１に対して減算補正を施す。
【００５０】
図４に戻って、利用情報生成手段２３は、補正後ポイントＰＴＮ２をポイント記憶手段２６に記憶する(ステップＳ２６)。そして、利用情報生成手段２４は、補正後ポイントＰＴＮ２をポイント記憶手段２６から読み出して端末装置１０に提供する(ステップＳ２７)。
【００５１】
このように、本実施の形態においては、アクセス時刻情報ＩＮＦ２及び状態情報ＩＮＦ３により、ユーザによるウェブページＷＰの閲覧状況を正確に得ることができる。
【００５２】
なお、図８に示すように、図２に示したサーバ２０を、情報収集手段２１及び情報記憶手段２２を有するサーバ２０＿１と、利用情報生成手段２３、利用情報提供手段２４、ポイント表記憶手段２５、及びポイント記憶手段２６を有するサーバ２０＿２とに分割して構成しても良い。
【００５３】
また、図９に示すように、端末装置１０＿１〜１０＿ｎ内に、各情報ＩＮＦ１〜ＩＮＦ３を記憶する記憶手段１３＿１〜１３＿ｎ(以下、符号１３で総称することがある)をそれぞれ設け、サーバ２０内の情報収集部２１が、各情報ＩＮＦ１〜ＩＮＦ３を記憶手段１３から読み出すようにしても良い。同図に点線で示す如く、サーバ２０が、補正後ポイントＰＴＮ２を記憶手段１３に書き込むようにしても良い。
【００５４】
さらに、図１０に示すように、記憶手段１３＿１〜１３＿ｎを接続し、端末装置１０＿１〜１０＿ｎ同士間で他の端末装置における各情報ＩＮＦ１〜ＩＮＦ３を相互参照するようにしても良い。この場合、端末装置１０は、各情報ＩＮＦ１〜ＩＮＦ３の参照時にはサーバとして動作することができる。また、同図に点線で示す如く、端末装置１０＿１〜１０＿ｎ内に、サーバ２０内の利用情報生成手段２３と同等の機能を有する利用情報生成手段１４＿１〜１４＿ｎ(以下、符号１４で総称することがある)をそれぞれ設け、以て端末装置１０＿１〜１０＿ｎ同士間で補正後ポイントＰＴＮ２を交換できるようにしても良い。
【００５５】
[実施の形態２]
図１１に示す本実施の形態に係る情報収集システム１ｂは、下記(１)〜(３)の点が図２に示した上記の実施の形態２と異なる。
【００５６】
(１)端末装置１０＿１〜１０＿ｎが、それぞれ、図２に示したウェブブラウザ１１ａ＿１〜１１ａ＿ｎに代えて、ネットワークＮＷを介してデータベースＤＢ内のレコードＲＣＤにアクセスする端末アプリケーション１１ｂ＿１〜１１ｂ＿ｎ(以下、符号１１ｂで総称することがある)を有する。この場合、情報取得手段１２は、端末アプリケーション１１ｂのプラグインとすることができる。また、レコードＲＣＤが複数のフィールドを含む場合、端末アプリケーション１１ｂは、ユーザ選択に応じて、一部のフィールドを強調表示する。
【００５７】
(２)情報取得手段１２は、端末アプリケーション１１ｂから、レコードＲＣＤのＩＤを識別情報ＩＮＦ１として取得し、レコードＲＣＤのアクセス時刻をアクセス時刻情報ＩＮＦ２として取得する。また、情報取得手段１２は、状態情報ＩＮＦ３として、強調表示されたフィールドの位置情報(以下、フィールド位置情報)ＩＥ４を取得する。
【００５８】
(３)サーバ２０は、図２に示した利用情報生成手段２３、利用情報提供手段２４、ポイント表記憶手段２５、及びポイント記憶手段２６に代えて、利用情報生成手段２３ｂと、利用情報提供手段２４ｂと、レポート記憶手段２７とを備えている。利用情報生成手段２３ｂは、情報記憶手段２１に記憶された各情報ＩＮＦ１〜ＩＮＦ３に基づき、少なくとも一部の端末装置同士間で共通に利用されているレコードＲＣＤに関するレポートＲＰＴを作成し、レポート記憶手段２７に記憶する。一方、利用情報提供手段２４ｂは、レポート記憶手段２７からレポートＲＰＴを読み出し、各端末装置１０＿１〜１０＿ｎに提供する。図示の例では、利用情報提供手段２４ｂが、レポートＲＰＴを、各端末装置１０＿１〜１０＿ｎからの要求(図示せず)に応じて通知する場合を扱っているが、図９と同様に各端末装置１０＿１〜１０＿ｎ内部の記憶手段に書き込んでも良い。
【００５９】
動作においては、図１２に示すように、まず、端末装置１０内の端末アプリケーション１１ｂが、ネットワークＮＷを介してデータベースＤＢ内のレコードＲＣＤにアクセスし、ディスプレイ画面上に表示する(ステップＳ１１ｂ)。
【００６０】
そして、情報取得手段１２は、端末アプリケーション１１ｂから、レコードＲＣＤのＩＤ及びアクセス時刻、並びにフィールド位置情報ＩＥ４を取得する(ステップＳ１２ｂ)。
【００６１】
そして、情報取得手段１２は、取得したＩＤ、アクセス時刻、及びフィールド位置情報ＩＥ４を、それぞれ情報ＩＮＦ１〜ＩＮＦ３に設定し、ネットワークＮＷを介してサーバ２０に対して送信する(ステップＳ１３ｂ)。
【００６２】
一方、図１３に示すように、サーバ２０内の情報収集手段２１が、上記の実施の形態２と同様、各情報ＩＮＦ１〜ＩＮＦ３を受信し(ステップＳ２１)、情報記憶手段２２に記憶する(ステップＳ２２)。
【００６３】
そして、利用情報生成手段２３ｂは、情報記憶手段２２から、各情報ＩＮＦ１〜ＩＮＦ３を読み出す(ステップＳ２３ｂ)と共に、レポートＲＰＴを作成する(ステップＳ２４ｂ)。より具体的には、利用情報生成手段２３ｂは、予め定めた数以上の端末装置同士間で共通に利用されているレコードのＩＤを、レポートＲＰＴに設定する。また、利用情報生成手段２３ｂは、当該レコードに関するフィールド位置情報を、レポートＲＰＴにさらに設定する。
【００６４】
この時、利用情報生成手段２３ｂは、当該レコードに対応するアクセス時刻情報と、当該レコードの次に利用されたレコードに対応するアクセス時刻情報とを参照し、当該レコードが予め定めた時間間隔以上利用されたか否か(すなわち、ユーザが当該レコードを十分な時間利用したか否か)を判定する。当該レコードが十分な時間利用されていない場合、利用情報生成手段２３ｂは、当該レコードに対するユーザの関心度が低い(例えば、当該レコードが機械的な連続アクセスの過程で一時的に利用されたに過ぎない)と判断して、レポートＲＰＴには、当該レコードのＩＤ及びフィールド位置情報は設定しない。
【００６５】
そして、利用情報生成手段２３ｂは、レポートＲＰＴをレポート記憶手段２７に記憶する(ステップＳ２５ｂ)。また、利用情報生成手段２４ｂは、レポートＲＰＴをレポート記憶手段２７から読み出して端末装置１０に提供する(ステップＳ２６ｂ)。
【００６６】
このように、本実施の形態においては、アクセス時刻情報ＩＮＦ２及び状態情報ＩＮＦ３により、ユーザによるレコードＲＣＤの利用状況を正確に得ることができる。
【００６７】
なお、上記の実施の形態によって本発明は限定されるものではなく、特許請求の範囲の記載に基づき、当業者によって種々の変更が可能なことは明らかである。例えば、上記の実施の形態で示した端末装置１０及びサーバ２０の各処理を、コンピュータに実行させるためのプログラムとして提供することもできる。
【図面の簡単な説明】
【００６８】
【図１】本発明の実施の形態１及び２に共通の情報収集システムの概略構成例を示したブロック図である。
【図２】本発明の実施の形態１に係る情報収集システムの構成例を示したブロック図である。
【図３】本発明の実施の形態１に係る情報端末の動作例を示したフローチャート図である。
【図４】本発明の実施の形態１に係るサーバの動作例を示したフローチャート図である。
【図５】本発明の実施の形態１において収集される識別情報及びアクセス時刻情報の一例を示した図である。
【図６】本発明の実施の形態１に用いるポイント表の構成例を示した図である。
【図７】本発明の実施の形態１に用いるポイントの補正処理例を示した図である。
【図８】本発明の実施の形態１に係る情報収集システムの第１の変形例を示したブロック図である。
【図９】本発明の実施の形態１に係る情報収集システムの第２の変形例を示したブロック図である。
【図１０】本発明の実施の形態１に係る情報収集システムの第３の変形例を示したブロック図である。
【図１１】本発明の実施の形態２に係る情報収集システムの構成例を示したブロック図である。
【図１２】本発明の実施の形態２に係る情報端末の動作例を示したフローチャート図である。
【図１３】本発明の実施の形態２に係るサーバの動作例を示したフローチャート図である。
【符号の説明】
【００６９】
１, １ａ, １ｂ  情報処理システム
１０, １０＿１〜１０＿ｎ  端末装置
１１, １１＿１〜１１＿ｎ  データアクセス手段
１１ａ, １１ａ＿１〜１１ａ＿ｎ  ウェブブラウザ
１１ｂ, １１ｂ＿１〜１１ｂ＿ｎ  端末アプリケーション
１２, １２＿１〜１２＿ｎ  情報取得手段
１３, １３＿１〜１３＿ｎ  記憶手段
１４, １４＿１〜１４＿ｎ, ２３, ２３ｂ  利用情報生成手段
２０, ２０＿１, ２０＿２  サーバ
２１  情報収集手段
２２  情報記憶手段
２４, ２３ｂ  利用情報提供手段
２５  ポイント表記憶装置
２６  ポイント記憶手段
２７  レポート記憶手段
ＤＴ  外部データ
ＷＰ  ウェブページ
ＤＢ  データベース
ＲＣＤ  レコード
ＩＮＦ１  識別情報
ＩＮＦ２, ＩＮＦ２３〜ＩＮＦ２５  アクセス時刻情報
ＩＮＦ３  状態情報
ＩＥ１, ＩＥ１１  ウィンドウサイズ
ＩＥ２  画面解像度
ＩＥ３  ウィンドウ表示位置
ＩＥ４  フィールド位置情報
ＰＴＮ１, ＰＴＮ１１〜ＰＴＮ１８  対応ポイント
ＰＴＮ２, ＰＴＮ２１  補正後ポイント
ＵＲＬ１〜ＵＲＬ８  ＵＲＬ
ＴＢＬ  ポイント表
Ｌ１〜Ｌ５  行
ＲＳ  基準ウィンドウサイズ
ＲＡ  基準領域
ＲＰＴ  レポート
【図１】
2010134500.tif 000003
【図２】
2010134500.tif 000004
【図３】
2010134500.tif 000005
【図４】
2010134500.tif 000006
【図５】
2010134500.tif 000007
【図６】
2010134500.tif 000008
【図７】
2010134500.tif 000009
【図８】
2010134500.tif 000010
【図９】
2010134500.tif 000011
【図１０】
2010134500.tif 000012
【図１１】
2010134500.tif 000013
【図１２】
2010134500.tif 000014
【図１３】
2010134500.tif 000015